(57)【特許請求の範囲】
【請求項１】
ＮおよびＭを２以上の自然数としたとき、ＭとＮの乗算であるＭＮ個の変調器と、
ＭＮ個の前記変調器の入力側に接続され、Ｎ個以下の入力ポート毎に入力されるＮ波長の光信号を波長に対応して、同じ変調信号が入力されるＭ個の前記変調器に出力するＮ入力ＭＮ出力の第１の波長フィルタと、
ＭＮ個の前記変調器の出力側に接続され、前記Ｍ個の変調器から入力される光信号を波長に対応してＮ個以下の出力ポートに分岐して出力するＭＮ入力Ｎ出力の第２の波長フィルタと、
を有する光パケットスイッチ装置。
【請求項２】
請求項１記載の光パケットスイッチ装置において、
前記第１の波長フィルタは、
入力側に接続されたＮ個の波長可変光源をＭ個のグループに分類し、Ｍ個のグループに対応してＭＮ個の前記変調器を分類し、前記波長可変光源から入力される光信号を該波長可変光源と同じグループに対応する変調器に出力し、
前記第２の波長フィルタは、
前記Ｍ個のグループに対応して前記Ｎ個の出力ポートを分類し、前記変調器から入力される光信号を該変調器と同じグループに対応するＮ／Ｍ個以下の出力ポートに分岐して出力する、光パケットスイッチ装置。
【請求項３】
請求項１または２に記載の光パケットスイッチ装置において、
前記Ｍは、（前記第１の波長フィルタの入力側に接続される波長可変光源の出力パワーの合計÷前記変調器での最大受光感度）で算出される値から小数点以下を無視した値である、光パケットスイッチ装置。
【請求項４】
光パケットスイッチ装置による信号処理方法であって、
ＮおよびＭを２以上の自然数としたとき、ＭとＮの乗算であるＭＮ個の変調器の入力側において、Ｎ個以下の入力ポート毎に入力されるＮ波長の光信号を波長に対応して、同じ変調信号が入力されるＭ個の前記変調器に出力するＮ入力ＭＮ出力の第１のルーティングを行い、
ＭＮ個の前記変調器の出力側において、前記Ｍ個の変調器から入力される光信号を波長に対応してＮ個以下の出力ポートに分岐して出力するＭＮ入力Ｎ出力の第２のルーティングを行う、信号処理方法。
【発明の詳細な説明】
【技術分野】
【０００１】
本発明は、光信号に情報を付加した信号である光パケット信号の経路を切り替える光パケットスイッチ装置および信号処理方法に関する。
【背景技術】
【０００２】
２×２スイッチを多段接続し、各スイッチで光信号のＯＮ／ＯＦＦを行うことでマルチキャスト制御を実現可能な、ブロードキャスト＆セレクト型の光パケットスイッチが提案されている（特許文献１参照）。
【０００３】
しかし、ブロードキャスト＆セレクト型の光パケットスイッチは、Ｎの２乗に比例して制御端子数が増えるため、スイッチ制御を行うドライバの制御が複雑となり、多くのハードリソースを必要とする問題があった。
【０００４】
これに対して、複数の波長可変光源と波長合分波器を利用して、ポートごとに波長を割り当て、多元接続する波長選択型の光スイッチが提案されている（特許文献２参照）。
【０００５】
このように、波長選択型光スイッチは、複数の波長可変光源が送信する各光信号の波長を切り替えることで、各光信号が出力されるポートを切り替えることができる。この波長スイッチを用いてマルチキャスト制御を行えば、制御端子数の少ないＮ×Ｎの大規模な光パケットスイッチを実現可能と考えられる。
【０００６】
例えば、Ｎ×Ｎ波長フィルタを２つ用いて外部変調器における多波長一括変調により、波長スイッチを用いたマルチキャスト制御が可能となる。図９は関連する光パケットスイッチ装置の一例を示すブロック図である。図９に示すように、光パケットスイッチ装置は、Ｎ個の波長可変光源９０から入力される光信号を合波するＮ×Ｎ波長フィルタ９１と、Ｎ×Ｎ波長フィルタ９１から入力される光信号を変調して出力する変調器９５−１〜９５−Ｎと、変調器９５−１〜９５−Ｎから入力される光信号を分波してＮ個の出力ポートから出力するＮ×Ｎ波長フィルタ９３とを有する。
【先行技術文献】
【特許文献】
【０００７】
【特許文献１】特開平８−３６１９５号公報
【特許文献２】特開平５−２４４６４９号公報
【発明の概要】
【発明が解決しようとする課題】
【０００８】
図９に示した光パケットスイッチ装置では、１つの変調器にマルチキャストポート数分の光源の出力パワーが集中してしまうので、波長多重時のパワーが変調器の最大受光感度以下になるようにマルチキャスト数が制限される。そのため、変調器での最大受光感度に依存せずにマルチキャスト数を増やすことができないという問題がある。
【０００９】
一方、変調器の後段に光アンプを設け、光源の出力パワーを下げることで、上記の課題を解決することも可能であるが、光アンプによりＳＮ比（signal- to- noise ratio）が悪化し、受光器においてエラー発生率が高くなってしまう。
【００１０】
本発明は上述したような技術が有する問題点を解決するためになされたものであり、変調器の最大受光感度に依存することなくマルチキャスト数を増加させることを可能にした光パケットスイッチ装置および信号処理方法を提供することを目的とする。
【課題を解決するための手段】
【００１１】
上記目的を達成するための本発明の光パケットスイッチ装置は、
ＮおよびＭを２以上の自然数としたとき、ＭとＮの乗算であるＭＮ個の変調器と、
ＭＮ個の前記変調器の入力側に接続され、Ｎ個以下の入力ポート毎に入力されるＮ波長の光信号を波長に対応して、同じ変調信号が入力されるＭ個の前記変調器に出力するＮ入力ＭＮ出力の第１の波長フィルタと、
ＭＮ個の前記変調器の出力側に接続され、前記Ｍ個の変調器から入力される光信号を波長に対応してＮ個以下の出力ポートに分岐して出力するＭＮ入力Ｎ出力の第２の波長フィルタと、
を有する構成である。
【００１２】
また、本発明の信号処理方法は、光パケットスイッチ装置による信号処理方法であって、
ＮおよびＭを２以上の自然数としたとき、ＭとＮの乗算であるＭＮ個の変調器の入力側において、Ｎ個以下の入力ポート毎に入力されるＮ波長の光信号を波長に対応して、同じ変調信号が入力されるＭ個の前記変調器に出力するＮ入力ＭＮ出力の第１のルーティングを行い、
ＭＮ個の前記変調器の出力側において、前記Ｍ個の変調器から入力される光信号を波長に対応してＮ個以下の出力ポートに分岐して出力するＭＮ入力Ｎ出力の第２のルーティングを行うものである。
【発明の効果】
【００１３】
本発明によれば、多波長一括変調により光マルチキャストを行う場合に、変調器での最大受光感度に依存することなく、マルチキャスト数を増加させることができる。
【図面の簡単な説明】
【００１４】
【図１】本実施形態の光パケットスイッチ装置の構成例を示すブロック図である。
【図２】実施例１の光パケットスイッチ装置の構成例を示すブロック図である。
【図３】実施例１における波長可変光源が発生する光信号の波長帯の一例を示す表である。
【図４】実施例１の光パケットスイッチ装置の動作を説明するための図である。
【図５】実施例１の光パケットスイッチ装置の動作手順を示すフローチャートである。
【図６】実施例２の光パケットスイッチ装置の構成例を示すブロック図である。
【図７】実施例２における波長可変光源が発生する光信号の波長帯の一例を示す表である。
【図８】実施例２の光パケットスイッチ装置の動作を説明するための図である。
【図９】関連する光パケットスイッチ装置の一例を示すブロック図である。
【発明を実施するための形態】
【００１５】
本実施形態の光パケットスイッチ装置の構成を説明する。以下では、ＮおよびＭを２以上の自然数とし、ＭとＮの乗算を「ＭＮ」と表記する。また、ＸおよびＹを１以上の任意の自然数としたとき、Ｘ入力Ｙ出力の波長フィルタを「Ｘ×Ｙ波長フィルタ」と表記する。
【００１６】
図１は本実施形態の光パケットスイッチ装置の構成例を示すブロック図である。
【００１７】
図１に示すように、光パケットスイッチ装置は、Ｎ個の入力ポートを備え、入力ポート毎に入力されるＮ種の波長の光信号を波長に対応してＭＮ個の出力ポートから出力するＮ×ＭＮ波長フィルタ１と、Ｎ×ＭＮ波長フィルタ１のＭＮ個の出力ポートに接続される変調器５−１−１〜５−１−Ｍ、・・・、５−Ｎ−１〜５−Ｎ−Ｍと、ＭＮ個の変調器の出力側に接続され、ＭＮ個の変調器から受信する光信号を波長に対応してＮ個以下の出力ポートに分岐して出力するＭＮ×Ｎ波長フィルタ３とを有する構成である。ただし、Ｍ、Ｎは２以上の自然数である。
【００１８】
本実施形態によれば、Ｎ個の入力ポートのうち、１つの入力ポートに対してＭ個の変調器が設けられているため、１つの変調器に集中する光源のパワーを１／Ｍに分散させることが可能となる。そのため、Ｎ入力×Ｎ出力の光マルチキャストを行う波長スイッチを用いて、多波長一括変調により光マルチキャストを行う場合に、変調器での最大受光感度に依存することなく、マルチキャスト数を増加させることが可能となる。
以下に、本実施形態の光パケットスイッチ装置の実施例を説明する。
【実施例１】
【００１９】
本実施例は、Ｎ入力Ｎ出力の波長スイッチにおいて、多波長一括変調によりブロードキャスト／マルチキャストを行う場合である。本実施例では、上述したＭの値がＭ＝２の場合で説明する。
【００２０】
本実施例の光パケットスイッチ装置の構成を説明する。図２は本実施例の光パケットスイッチ装置の構成例を示すブロック図である。
【００２１】
図２に示すように、光パケットスイッチ装置は、Ｎ×２Ｎ波長フィルタ１１と、２Ｎ個の変調器１５−１ａ〜１５−Ｎａ、１５−１ｂ〜１５−Ｎｂと、２Ｎ×Ｎ波長フィルタ１３とを有する。２Ｎ×Ｎ波長フィルタ１３の出力ポートＯＵＴ１〜ＯＵＴＮは、Ｎ波長で波長周回性を有する波長スイッチシステムに接続されている。本実施例では、Ｎ×２Ｎ波長フィルタ１１における１つの入力ポートに対して、２個の変調器が設けられている構成である。
【００２２】
Ｎ×２Ｎ波長フィルタ１１の入力側には、Ｎ種の波長の光信号を出力する、Ｎ個の波長可変光源５１−１〜５１−Ｎのそれぞれが別々の入力ポートを介して接続されている。本実施例では、説明の便宜上、Ｎを偶数とする。図３は波長可変光源が発生する光信号についての波長帯の一例を示す表である。
【００２３】
図３では、波長可変光源５１−１〜５１−Ｎに対応して、発生する光信号の必要な波長帯を示している。波長可変光源５１−１〜５１−Ｎ／２を第１のグループとし、波長可変光源５１−Ｎ／２＋１〜５１−Ｎを第２のグループとすると、同じグループ内では波長可変光源毎に発生する光信号の波長帯が異なっているが、グループ間では、光信号の波長帯が共通している。
【００２４】
Ｍは、（波長可変光源５１−１〜５１−Ｎの出力パワーの合計÷変調器での最大受光感度）で算出される値から小数点以下を無視した値であることが望ましい。
【００２５】
ｋ＝１〜Ｎとすると、カプラ４１−ｋが変調器１５−ｋａ、１５−ｋｂに接続されている。外部から変調信号がカプラ４１−ｋを介して変調器１５ａ−ｋａ、１５−ｋｂに入力される。
【００２６】
変調器１５−ｋａ、１５−ｋｂのそれぞれは、カプラ４１−ｋを介して入力される変調信号にしたがって、Ｎ×２Ｎ波長フィルタ１１から入力される光信号の強度および位相等のうち、少なくとも１つを変調して２Ｎ×Ｎ波長フィルタ１３に出力する。変調器１５−ｋａが上記第１のグループに対応し、変調器１５−ｋｂが上記第２のグループに対応している。変調器１５−ｋａの出力ポートが２Ｎ×Ｎ波長フィルタ１３の入力ポートＩＮｋａに接続され、変調器１５−ｋｂの出力ポートが２Ｎ×Ｎ波長フィルタ１３の入力ポートＩＮｋｂに接続されている。以下では、入力ポートＩＮ１ａ〜ＩＮＮａを上位ポートと称し、入力ポートＩＮ１ｂ〜ＩＮＮｂを下位ポートと称する。
【００２７】
Ｎ×２Ｎ波長フィルタ１１および２Ｎ×Ｎ波長フィルタ１３は、例えば、Ｎ入力２Ｎ出力、または２Ｎ入力Ｎ出力の周回性アレイ導波路回折格子（ＡＷＧ：Arrayed Waveguide Grating）であり、入力される光信号の波長に対応して方路変更を行う。
【００２８】
Ｎ×２Ｎ波長フィルタ１１は、波長可変光源５１−１〜５１−Ｎ／２から入力される光信号を波長に対応して変調器１５−１ａ〜１５−Ｎａを介して上位ポートＩＮ１ａ〜ＩＮＮａにルーティングし、波長可変光源５１−Ｎ／２＋１〜５１−Ｎから入力される光信号を波長に対応して変調器１５−１ｂ〜１５−Ｎｂを介して下位ポートＩＮ１ｂ〜ＩＮＮｂにルーティングする。
【００２９】
２Ｎ×Ｎ波長フィルタ１３は、変調器１５−１ａ〜１５−Ｎａから上位ポートＩＮ１ａ〜ＩＮＮａを介して入力される光信号を波長に対応して出力ポートＯＵＴ１〜ＯＵＴＮ／２にルーティングし、変調器１５−１ｂ〜１５−Ｎｂから下位ポートＩＮ１ｂ〜ＩＮＮｂを介して入力される光信号を波長に対応して出力ポートＯＵＴＮ／２＋１〜ＯＵＴＮにルーティングする。入力ポートＩＮ１ａ〜ＩＮＮａおよび出力ポートＯＵＴ１〜ＯＵＴＮ／２が第１のグループに対応し、入力ポートＩＮ１ｂ〜ＩＮＮｂおよび出力ポートＯＵＴＮ／２＋１〜ＯＵＴＮが第２のグループに対応している。
【００３０】
次に、本実施例の光パケットスイッチ装置の動作を説明する。図４は本実施例の光パケットスイッチ装置の動作を説明するための図であり、図５はその動作手順を示すフローチャートである。ここでは、外部から変調信号がカプラ４１−１に入力され、その変調信号にしたがって変調された光信号を出力ポートＯＵＴ１、ＯＵＴＮ／２、ＯＵＴＮ／２＋１およびＯＵＴＮに４分岐して出力する場合とする。
【００３１】
波長可変光源５１−１、５１−Ｎ／２、５１−Ｎ／２＋１、５１−Ｎのそれぞれが図３に示したようなＮ種の波長の光信号を出力する。Ｎ×２Ｎ波長フィルタ１１は、それらの波長可変光源から入力されるＮ種の波長の光信号を波長に対応して２個の出力ポートにルーティングして出力する（ステップ１０１）。具体的には、Ｎ×２Ｎ波長フィルタ１１は、波長可変光源５１−１、５１−Ｎ／２から入力される光信号を変調器１５−１ａにルーティングし、波長可変光源５１−Ｎ／２＋１、５１−Ｎから入力される光信号を変調器１５−１ｂにルーティングする。図４に示す二点鎖線で２つに分類され、上側が第１のグループに相当し、下側が第２のグループに相当する。
【００３２】
変調器１５−１ａ、１５−１ｂのそれぞれは、カプラ４１−１を介して入力される変調信号にしたがって、Ｎ×２Ｎ波長フィルタ１１から入力される光信号を変調して２Ｎ×Ｎ波長フィルタ１３の入力ポートＩＮ１ａ、ＩＮ１ｂに出力する（ステップ１０２）。
【００３３】
２Ｎ×Ｎ波長フィルタ１３は、変調後の光信号が変調器１５−１ａから入力ポートＩＮ１ａを介して入力されると、それらの光信号を出力ポートＯＵＴ１および出力ポートＯＵＴＮ／２にルーティングして出力する。また、２Ｎ×Ｎ波長フィルタ１３は、変調後の光信号が変調器１５−１ｂから入力ポートＩＮ１ｂを介して入力されると、それらの光信号を出力ポートＯＵＴＮ／２＋１および出力ポートＯＵＴＮにルーティングして出力する（ステップ１０３）。
【００３４】
図４では、波長可変光源５１−１からＮ×２Ｎ波長フィルタ１１に入力された光信号が変調器１５−１ａを経由して２Ｎ×Ｎ波長フィルタ１３の出力ポートＯＵＴ１から出力される経路と、波長可変光源５１−Ｎ／２からＮ×２Ｎ波長フィルタ１１に入力された光信号が変調器１５−１ａを経由して２Ｎ×Ｎ波長フィルタ１３の出力ポートＯＵＴＮ／２から出力される経路を破線で示している。
【００３５】
また、図４において、波長可変光源５１−Ｎ／２＋１からＮ×２Ｎ波長フィルタ１１に入力された光信号が変調器１５−１ｂを経由して２Ｎ×Ｎ波長フィルタ１３の出力ポートＯＵＴＮ／２＋１から出力される経路と、波長可変光源５１−ＮからＮ×２Ｎ波長フィルタ１１に入力された光信号が変調器１５−１ｂを経由して２Ｎ×Ｎ波長フィルタ１３の出力ポートＯＵＴＮから出力される経路を一点鎖線で示している。
【００３６】
複数の波長可変光源がグループ間で、光信号の波長帯が共通しており、また、カプラ４１−１で分配された同じ変調信号が変調器１５−１ａ、１５−１ｂに入力されることで、変調器１５−１ａで変調された光信号が出力ポートＯＵＴ１および出力ポートＯＵＴＮ／２に分岐して出力され、これらに対応する、変調器１５−１ａで変調された光信号が出力ポートＯＵＴ１および出力ポートＯＵＴＮ／２に分岐して出力される。
【００３７】
本実施例では、Ｎ個の波長可変光源５１−１〜５１−Ｎを２つのグループに分類し、第１のグループとなる波長可変光源５１−１〜５１−Ｎ／２から入力される光信号を変調器１５−１ａ〜１５−Ｎａで変調させ、第２のグループとなる波長可変光源５１−Ｎ／２＋１〜５１−Ｎから入力される光信号を変調器１５−１ｂ〜１５−Ｎｂで変調させることで、１つの変調器に集中する光源のパワーを分散させることが可能となる。Ｎ×Ｎ波長フィルタと変調器を用いた波長スイッチにおいて、波長スイッチの対象性と多波長一括変調を利用することで、変調器の最大受光感度に依存することなく、マルチキャスト数を増加させることができる。
【実施例２】
【００３８】
本実施例も、Ｎ入力Ｎ出力の波長スイッチにおいて、多波長一括変調によりブロードキャスト／マルチキャストを行う場合であるが、実施例１とは異なる方法である。本実施例においても、Ｍ＝２の場合で説明する。
【００３９】
本実施例の光パケットスイッチ装置の構成を説明する。図６は本実施例の光パケットスイッチ装置の構成例を示すブロック図である。
【００４０】
図６に示すように、光パケットスイッチ装置は、Ｎ×２Ｎ波長フィルタ２１と、２Ｎ個の変調器１５−１ａ〜１５−Ｎａ、１５−１ｂ〜１５−Ｎｂと、２Ｎ×Ｎ波長フィルタ２３とを有する。２Ｎ×Ｎ波長フィルタ２３の出力ポートＯＵＴ１〜ＯＵＴＮは、Ｎ波長で波長周回性を有する波長スイッチシステムに接続されている。本実施例でも、Ｎ×２Ｎ波長フィルタ２１における１つの入力ポートに対して、２個の変調器が設けられているが、光信号のルーティングの方法が実施例１と異なる。
【００４１】
Ｎ×２Ｎ波長フィルタ２１の入力側には、Ｎ種の波長の光信号を出力する、Ｎ個の波長可変光源５１−１〜５１−Ｎのそれぞれが別々の入力ポートを介して接続されている。本実施例でも、Ｎを偶数とする。図７は波長可変光源が発生する光信号についての波長帯の一例を示す表である。
【００４２】
図７では、波長可変光源５１−１〜５１−Ｎに対応して、発生する光信号の必要な波長帯を示している。波長可変光源５１−１〜５１−Ｎ／２を第１のグループとし、波長可変光源５１−Ｎ／２＋１〜５１−Ｎを第２のグループとすると、同じグループ内では波長可変光源毎に発生する光信号の波長の種類が共通しているが、グループ間で比較すると、光信号の波長の種類が異なっている。
【００４３】
Ｍは、（波長可変光源５１−１〜５１−Ｎの出力パワーの合計÷変調器での最大受光感度）で算出される値から小数点以下を無視した値であることが望ましい。
【００４４】
ｋ＝１〜Ｎとすると、実施例１と同様に、カプラ４１−ｋが変調器１５−ｋａ、１５−ｋｂに接続されている。外部から変調信号がカプラ４１−ｋを介して変調器１５ａ−ｋａ、１５−ｋｂに入力される。
【００４５】
変調器１５−ｋａ、１５−ｋｂのそれぞれは、カプラ４１−ｋを介して入力される変調信号にしたがって、Ｎ×２Ｎ波長フィルタ２１から入力される光信号の強度および位相等のうち、少なくとも１つを変調して２Ｎ×Ｎ波長フィルタ２３に出力する。変調器１５−ｋａ、１５−ｋｂの出力ポートが２Ｎ×Ｎ波長フィルタ２３の入力ポートＩＮｋに接続されている。本実施例では、変調器１５−ｋａ、１５−ｋｂが隣接して設けられているが、変調器１５−ｋａが上記第１のグループに対応し、変調器１５−ｋｂが上記第２のグループに対応している。
【００４６】
Ｎ×２Ｎ波長フィルタ２１および２Ｎ×Ｎ波長フィルタ２３は、例えば、Ｎ入力２Ｎ出力、または２Ｎ入力Ｎ出力の周回性アレイ導波路回折格子（ＡＷＧ：Arrayed Waveguide Grating）であり、入力される光信号の波長に対応して方路変更を行う。
【００４７】
Ｎ×２Ｎ波長フィルタ２１は、波長可変光源５１−１〜５１−Ｎ／２から入力される光信号を波長に対応して変調器１５−１ａ〜１５−Ｎａを介して入力ポートＩＮ１〜ＩＮＮにルーティングし、波長可変光源５１−Ｎ／２＋１〜５１−Ｎから入力される光信号を波長に対応して変調器１５−１ｂ〜１５−Ｎｂを介して入力ポートＩＮ１〜ＩＮＮにルーティングする。
【００４８】
２Ｎ×Ｎ波長フィルタ２３は、変調器１５−１ａ〜１５−Ｎａから入力ポートＩＮ１〜ＩＮＮを介して入力される光信号を波長に対応して出力ポートＯＵＴ１〜ＯＵＴＮ／２（不図示）にルーティングし、変調器１５−１ｂ〜１５−Ｎｂから入力ポートＩＮ１〜ＩＮＮを介して入力される光信号を波長に対応して出力ポートＯＵＴＮ／２＋１（不図示）〜ＯＵＴＮにルーティングする。
【００４９】
次に、本実施例の光パケットスイッチ装置の動作を説明する。図８は本実施例の光パケットスイッチ装置の動作を説明するための図である。ここでは、外部から変調信号がカプラ４１−Ｎに入力され、その変調信号にしたがって変調された光信号を出力ポートＯＵＴ１および出力ポートＯＵＴＮに２分岐して出力する場合とする。
【００５０】
波長可変光源５１−１、５１−Ｎのそれぞれが図７に示したようなＮ種の波長の光信号を出力する。Ｎ×２Ｎ波長フィルタ２１は、波長可変光源５１−１から入力される光信号を変調器１５−１ａにルーティングし、波長可変光源５１−Ｎから入力される光信号を変調器１５−１ｂにルーティングする。
【００５１】
変調器１５−１ａ、１５−１ｂのそれぞれは、カプラ４１−１を介して入力される変調信号にしたがって、Ｎ×２Ｎ波長フィルタ２１から入力される光信号を変調して２Ｎ×Ｎ波長フィルタ２３の入力ポートＩＮ１に出力する。
【００５２】
２Ｎ×Ｎ波長フィルタ２３は、変調後の光信号が変調器１５−１ａから入力ポートＩＮ１を介して入力されると、それらの光信号を出力ポートＯＵＴ１にルーティングして出力する。また、２Ｎ×Ｎ波長フィルタ２３は、変調後の光信号が変調器１５−１ｂから入力ポートＩＮ１を介して入力されると、それらの光信号を出力ポートＯＵＴＮにルーティングして出力する。
【００５３】
図８には、波長可変光源５１−１からＮ×２Ｎ波長フィルタ２１に入力された光信号が変調器１５−１ａを経由して２Ｎ×Ｎ波長フィルタ２３の出力ポートＯＵＴ１から出力される経路を破線で示している。また、波長可変光源５１−ＮからＮ×２Ｎ波長フィルタ２１に入力された光信号が変調器１５−１ｂを経由して２Ｎ×Ｎ波長フィルタ２３の出力ポートＯＵＴＮから出力される経路を一点鎖線で示している。
【００５４】
複数の波長可変光源がグループ間で、光信号の波長の種類が異なっており、また、カプラ４１−１で分配された同じ変調信号が変調器１５−１ａ、１５−１ｂのそれぞれに入力されることで、波長の種類は異なるが、変調器１５−１ａ、１５−１ｂで同じように変調された光信号が出力ポートＯＵＴ１および出力ポートＯＵＴＮに分岐して出力される。
【００５５】
本実施例では、Ｎ個の波長可変光源５１−１〜５１−Ｎを２つのグループに分類し、第１のグループとなる波長可変光源５１−１〜５１−Ｎ／２から入力される光信号を変調器１５−１ａ〜１５−Ｎａで変調させ、第２のグループとなる波長可変光源５１−Ｎ／２＋１〜５１−Ｎから入力される光信号を変調器１５−１ｂ〜１５−Ｎｂで変調させることで、１つの変調器に集中する光源のパワーを分散させることが可能となる。Ｎ×Ｎ波長フィルタと変調器を用いた波長スイッチにおいて、波長スイッチの対象性と多波長一括変調を利用することで、変調器の最大受光感度に依存することなく、マルチキャスト数を増加させることができる。
【符号の説明】
【００５６】
１    Ｎ×ＭＮ波長フィルタ
３    ＭＮ×Ｎ波長フィルタ
５−１−１〜５−Ｎ−Ｍ    変調器
１１、２１    Ｎ×２Ｎ波長フィルタ
１３、２３    ２Ｎ×Ｎ波長フィルタ
１５−１ａ〜１５−Ｎａ、１５−１ｂ〜１５−Ｎｂ    変調器
【図１】
0005722253.tif 000002
【図２】
0005722253.tif 000003
【図３】
0005722253.tif 000004
【図４】
0005722253.tif 000005
【図５】
0005722253.tif 000006
【図６】
0005722253.tif 000007
【図７】
0005722253.tif 000008
【図８】
0005722253.tif 000009
【図９】
0005722253.tif 000010